(57)【要約】【課題】固体検出器と、消去光を照射する消去光光源部と、読取光を走査露光せしめる読取光光源部と、固体検出器に照射された放射線量を検出する放射線量検出部とを備えてなる放射線画像記録読取装置において、固体検出器の放射線入射面の側に放射線量検出部を配置することなく、高感度に放射線を検出可能にする。【解決手段】撮影台４の内部に、撮像デバイスである固体検出器２０、読取光を固体検出器２０に対して走査露光せしめる読取光光源部３０、固体検出器２０に蓄積された残像を消去するための消去光を固体検出器２０の略全面に照射する消去光光源部４０、および固体検出器２０に照射されたＸ線量を検出するシリコンフォトダイオード５２を備えたＸ線量検出部５０等を収容してなる乳房用画像撮像装置において、シリコンフォトダイオード５２に対して固体検出器２０を透過したＸ線が直接入射するように構成する。【選択図】図２
2007296043.tif 000002
【特許請求の範囲】
【請求項１】
放射線入射面の側から画像情報を担持した放射線の照射を受けて前記画像情報を静電潜像として記録し、前記放射線入射面とは反対側の読取光入射面の側から読取光で走査されることにより前記静電潜像に応じた電流を発生する固体検出器と、
前記固体検出器の読取光入射面と対向する位置に配され、前記固体検出器に蓄積された残像を消去するための消去光を前記固体検出器の略全面に照射する消去光光源部と、
前記固体検出器と前記消去光光源部との間に配され、前記読取光を前記固体検出器に対して走査露光せしめる読取光光源部と、
前記固体検出器の読取光入射面と対向する位置に配され、前記固体検出器に照射された放射線量を検出する放射線量検出器を含む放射線量検出部とを備えてなる放射線画像記録読取装置において、
前記放射線量検出器が、前記固体検出器を透過した放射線が直接入射する位置に配されていることを特徴とする放射線画像記録読取装置。
【請求項２】
前記消去光光源部と前記放射線量検出部とが一体的に構成されていることを特徴とする請求項１記載の放射線画像記録読取装置。
【請求項３】
前記消去光光源部の前記固体検出器の読取光入射面と対向する面側の最前部と、前記放射線量検出部の前記固体検出器の読取光入射面と対向する面側の最前部とが略同一面上に位置するように構成されていることを特徴とする請求項２記載の放射線画像記録読取装置。
【請求項４】
前記放射線量検出器に入射する放射線における、前記消去光光源部によるケラレが１０％以下となるように構成されていることを特徴とする請求項２または３記載の放射線画像記録読取装置。
【請求項５】
前記消去光光源部が多数の微小光源を面状に配してなるものであり、
前記放射線量検出部と隣接する微小光源から照射され前記固体検出器に入射する消去光における、前記放射線量検出部によるケラレが５０％以下となるように構成されていることを特徴とする請求項２から４のいずれか１項記載の放射線画像記録読取装置。
【請求項６】
前記放射線量検出部が、前記放射線量検出器に前記消去光が入射するのを防止するための消去光入射防止手段を備えたものであることを特徴とする請求項１から５のいずれか１項記載の放射線画像記録読取装置。
【請求項７】
前記放射線量検出部が前記放射線量検出器に散乱線が入射するのを防止するための散乱線除去手段を備えたものであることを特徴とする請求項１から６のいずれか１項記載の放射線画像記録読取装置。
【請求項８】
前記放射線量検出部が前記放射線を蛍光に変換するシンチレーターを備え、
前記放射線量検出器が前記蛍光を検出するものであることを特徴とする請求項１から７のいずれか１項記載の放射線画像記録読取装置。
【発明の詳細な説明】
【技術分野】
【０００１】
本発明は、画像情報を担持した放射線の照射を受けて画像情報を静電潜像として記録し、読取光で走査されることにより静電潜像に応じた電流を発生する固体検出器と、固体検出器に蓄積された残像を消去するための消去光を照射する消去光光源部と、読取光を固体検出器に対して走査露光せしめる読取光光源部と、固体検出器に照射された放射線量を検出する放射線量検出部とを備えてなる放射線画像記録読取装置において、放射線量検出部の配置位置に関するものである。
【背景技術】
【０００２】
従来より、医療用Ｘ線撮影等において、被験者の受ける被爆線量の減少、診断性能の向上等のために、Ｘ線等の放射線に感応する例えばａ−Ｓｅ（アモルファスセレン）から成るセレン板等の光導電体を用いた固体検出器を使用し、この固体検出器に放射線入射面の側から放射線画像情報を担持するＸ線等の記録用の放射線を照射して、放射線画像情報を担持する潜像電荷を固体検出器の蓄電部に蓄積させ、その後ライン状等の読取光で放射線入射面とは反対側の読取光入射面の側から固体検出器を走査することにより固体検出器内に生じる電流を固体検出器の平板電極あるいはストライプ電極を介して検出することにより、潜像電荷が担持する静電潜像、すなわち放射線画像情報を読み取るシステムが知られている。（例えば、特許文献１、特許文献２等）
また本願出願人は、このような光読出方式の固体検出器と、読取光を固体検出器に対して走査露光せしめる読取光光源部等と、固体検出器に蓄積された残像を消去するための消去光（前露光光）を照射する消去光光源部とをコンパクトな筐体に内蔵した可搬型の画像撮影装置を提案している。（例えば、特許文献３等）なお、この消去光光源部は固体検出器の読取光入射面と対向する位置に配され、固体検出器に蓄積された残像を消去するための消去光を固体検出器の略全面に照射するように構成されている。
【０００３】
さらに本願出願人は、固体検出器に照射された放射線量を検出する放射線量検出部を備えた画像撮影装置を提案している。（例えば、特許文献４等）この装置にように固体検出器に照射された放射線量を検出することにより、固体検出器に照射する放射線量を最適化したり、固体検出器に蓄積された残像を効率的に消去したりするための制御を行うことが可能となる。
【特許文献１】特開２０００−１０５２９７号公報
【特許文献２】特開２０００−２８４０５６号公報
【特許文献３】特開２００１−２９２９８３号公報
【特許文献４】特開２００５−１２４８６８公報
【発明の開示】
【発明が解決しようとする課題】
【０００４】
放射線量検出部を備える装置において、固体検出器に照射された放射線量に基づいて、固体検出器に照射する放射線量の最適化を行ったり、固体検出器に蓄積された残像の消去を効率的に行うためには、固体検出器の画像領域中に照射された放射線量を検出することが望ましく、そのためには放射線量検出部は固体検出器の画像領域中に配置する必要がある。
【０００５】
しかしながら、放射線量検出部を固体検出器の前面（放射線入射面）側に配置すると、固体検出器へ入射する放射線を遮ってしまうため、画質上好ましくない。また、消去光光源部を備える装置においては、固体検出器の後面には消去光光源部が配されており、放射線量検出部を固体検出器の後面（読取光入射面）側において配置する場合、この消去光光源部の後面に放射線量検出部を配置すると、放射線量検出部に入射する放射線量が少なくなり、正確に放射線量を検出することが困難となるためこれも好ましくない。
【０００６】
本発明は、上記事情に鑑みてなされたものであり、固体検出器と、固体検出器に蓄積された残像を消去するための消去光を照射する消去光光源部と、読取光を固体検出器に対して走査露光せしめる読取光光源部と、固体検出器に照射された放射線量を検出する放射線量検出部とを備えてなる放射線画像記録読取装置において、固体検出器の放射線入射面の側に放射線量検出部を配置することなく、高感度に放射線を検出可能な放射線画像記録読取装置を提供することを目的とするものである。
【課題を解決するための手段】
【０００７】
本発明による放射線画像記録読取装置は、放射線入射面の側から画像情報を担持した放射線の照射を受けて画像情報を静電潜像として記録し、放射線入射面とは反対側の読取光入射面の側から読取光で走査されることにより静電潜像に応じた電流を発生する固体検出器と、固体検出器の読取光入射面と対向する位置に配され、固体検出器に蓄積された残像を消去するための消去光を固体検出器の略全面に照射する消去光光源部と、固体検出器と消去光光源部との間に配され、読取光を固体検出器に対して走査露光せしめる読取光光源部と、固体検出器の読取光入射面と対向する位置に配され、固体検出器に照射された放射線量を検出する放射線量検出器を含む放射線量検出部とを備えてなる放射線画像記録読取装置において、放射線量検出器が、固体検出器を透過した放射線が直接入射する位置に配されていることを特徴とするものである。
【０００８】
上記において「固体検出器」とは、被写体の画像情報を担持する放射線を検出して被写体に関する放射線画像を表す画像信号を出力する検出器であって、入射した放射線を直接または一旦光に変換した後に電荷に変換し、この電荷を一旦蓄電部に蓄積し、その後、この電荷を外部に出力させることにより、被写体に関する放射線画像を表す画像信号を得ることができるものである。
【０００９】
この放射線固体検出器には種々の方式のものがあるが、蓄積された電荷を外部に読み出す電荷読出プロセスの面については、読取光（読取用の電磁波）を検出器に照射して読み出す光読出方式のものに限られる。
【００１０】
放射線を電荷に変換する電荷生成プロセスの面については、放射線が照射されることにより蛍光体から発せられた蛍光を光電変換素子で検出して得た信号電荷を光電変換素子の蓄電部に一旦蓄積し、蓄積電荷を画像信号（電気信号）に変換して出力する光変換方式の放射線固体検出器、あるいは、放射線が照射されることにより放射線導電体内で発生した信号電荷を電荷収集電極で集めて蓄電部に一旦蓄積し、蓄積電荷を電気信号に変換して出力する直接変換方式の放射線固体検出器等、種々のものを使用することができる。
【００１１】
本発明において、読取光光源部は、例えばライン状の光源とこの光源を走査方向に駆動する駆動手段とから構成される機械走査式のもの、もしくは例えば線状のＥＬ光源を走査方向に複数面状に配列した面状光源から構成される電気走査式のものが用いられるが、読取光光源部を機械走査式とした場合は、放射線画像記録時および消去光照射時においては光源を固体検出器の画像領域外に退避させておくことにより、放射線量検出部による放射線量の検出や、固体検出器への消去光の照射を妨げないようにすることができ、電気走査式とした場合は、ＥＬ発光式の面状光源は極めて薄いため放射線吸収が少なく、また消去光に対して透過性を持たすこともできるため、放射線量検出部による放射線量の検出や、固体検出器への消去光の照射を妨げないようにすることができる。すなわち、読取光光源部については、固体検出器と消去光光源部との間に配置されていても、放射線量検出部による放射線量の検出や、固体検出器への消去光の照射に支障をきたすことはない。
【００１２】
すなわち、「放射線量検出部が、固体検出器を透過した放射線が直接入射する位置に配されている」とは、放射線量検出部に対して固体検出器を透過した放射線の９０％以上が入射するように構成されたものを意味し、放射線量検出部と固体検出器との間に何も介在しない状態のみならず、読取光光源部が放射線量検出部による放射線量の検出や固体検出器への消去光の照射に支障をきたさない場合には、上記の読取光光源部やその他の介在物が放射線量検出部と固体検出器との間に介在する状態も含むものである。
【００１３】
本発明による放射線画像記録読取装置においては、消去光光源部と放射線量検出部とが一体的に構成されていてもよい。
【００１４】
この場合、消去光光源部の固体検出器の読取光入射面と対向する面側の最前部と、放射線量検出部の固体検出器の読取光入射面と対向する面側の最前部とが略同一面上に位置するように構成されていることが好ましい。
【００１５】
また、放射線量検出器に入射する放射線における、消去光光源部によるケラレが１０％以下となるように構成されていることが好ましい。
【００１６】
また、消去光光源部が多数の微小光源を面状に配してなるものとした場合、放射線量検出部と隣接する微小光源から照射され固体検出器に入射する消去光における、放射線量検出部によるケラレが５０％以下となるように構成されていることが好ましい。
【００１７】
また、放射線量検出部は、放射線量検出器に消去光が入射するのを防止するための消去光入射防止手段を備えたものとすることが好ましい。
【００１８】
また、放射線量検出部は、放射線量検出器に散乱線が入射するのを防止するための散乱線除去手段を備えたものとすることが好ましい。
【００１９】
さらに、放射線量検出部は、放射線を蛍光に変換するシンチレーターを備えるとともに、放射線量検出器が蛍光を検出するものとし、間接的にＸ線量を検出してもよい。
【発明の効果】
【００２０】
本発明による放射線画像記録読取装置は、固体検出器と、固体検出器の読取光入射面と対向する位置に配された消去光光源部と、固体検出器と消去光光源部との間に配された読取光光源部と、固体検出器の読取光入射面と対向する位置に配され、固体検出器に照射された放射線量を検出する放射線量検出器を含む放射線量検出部とを備えてなる放射線画像記録読取装置において、放射線量検出器を固体検出器を透過した放射線が直接入射する位置に配したことにより、固体検出器の後面に放射線量検出部を配置した場合でも、消去光光源部の影響を受けることなく高感度に放射線を検出することが可能となる。
【発明を実施するための最良の形態】
【００２１】
以下、図面を参照して本発明の実施の形態について詳細に説明する。図１は本発明による放射線画像記録読取装置を備えた乳房用画像撮像装置の一例を示す概略図、図２は上記乳房用画像撮像装置の撮影台内部の概略図、図３は上記乳房用画像撮像装置の消去光光源部およびＸ線量検出部の上面図である。
【００２２】
この乳房用画像撮像装置１は、内部にＸ線源２を収納するＸ線源収納部３と、撮像デバイスである固体検出器２０等を収容した撮影台４とが対向するようアーム５によって連結され、このアーム５が基台６に取り付けられて構成されているものである。
【００２３】
さらに、アーム５には、上から被検者の乳房９を押さえつけて保持する圧迫板７と、この圧迫板７を移動させる圧迫板移動手段８とが取り付けられている。圧迫板移動手段８は、図示しないリニアモータにより構成され、圧迫板７を、乳房９を撮影台４上に押圧する位置と押圧を解除する位置との間で平行往復移動させる。
【００２４】
撮影台４の内部には、散乱線を除去するムービンググリッド１０と、撮像デバイスである固体検出器２０と、固体検出器２０から出力された信号を検出する不図示の信号検出手段と、読取光を固体検出器２０に対して走査露光せしめる読取光光源部３０と、固体検出器２０に蓄積された残像を消去するための消去光を固体検出器２０の略全面に照射する消去光光源部４０と、固体検出器２０に照射されたＸ線量を検出するＸ線量検出部５０と、これらを制御する制御手段６０等が収容されている。
【００２５】
固体検出器２０は、Ｘ線を透過する第１の電極層２１、第１の電極層２１を透過したＸ線の照射を受けることにより電荷を発生する記録用光導電層２２、記録用光導電層２２において発生した潜像電荷に対しては絶縁体として作用し、且つその潜像電荷と逆極性の輸送電荷に対しては導電体として作用する電荷輸送層２３、読取光の照射を受けることにより電荷を発生する読取用光導電層２４、および読取光を透過する第２の電極層２５を基板２６上にこの順に積層してなるものである。記録用光導電層２２と電荷輸送層２３との間には、記録用光導電層２２内で発生した潜像電荷を蓄積する蓄電部が形成される。また、固体検出器２０の第１の電極層２１とムービンググリッド１０との間には絶縁部材２７が設けられている。
【００２６】
第１の電極層２１としては、Ｘ線を透過するものであればよく、たとえば、ネサ皮膜（ＳｎＯ２）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができ、また、１００ｎｍ厚のＡｌやＡｕなども用いることもできる。
【００２７】
第２の電極層２５は、多数の線状電極が平行に配列されてなるものである。なお、この線状電極は図２中の光源走査方向に沿って配置される。
【００２８】
記録用光導電層２２は、Ｘ線の照射を受けることにより電荷を発生するものであればよく、Ｘ線に対して比較的量子効率が高く、また暗抵抗が高いなどの点で優れているａ−Ｓｅを主成分とするものを使用する。厚さは５００μｍ程度が適切である。
【００２９】
電荷輸送層２３としては、たとえば、第１の電極層２１に帯電する電荷の移動度と、その逆極性となる電荷の移動度の差が大きい程良く（例えば１０２以上、望ましくは１０３以上）ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ等の半導体物質が適当である。
【００３０】
読取用光導電層２４としては、読取光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは１０μｍ程度が適切である。
【００３１】
なお、固体検出器２０の層構成は上記のような層構成に限らず、その他の層を含むものとしてもよく、また各層の材料についても上記各層の作用と同等の作用を有するものであれば上記以外の材料を利用するようにしてもよい。
【００３２】
読取光光源部３０は、固体検出器２０と消去光光源部４０との間に配されており、固体検出器２０の第２の電極層２５の線状電極の延びる方向と略直交する方向に延びる線状の読取光を照射するライン光源と、このライン光源を図２中に示す光源走査方向に走査移動させる光源駆動手段とから構成されている。撮影時および残像消去時にはライン光源は固体検出器２０の画像領域外に退避可能となっており、Ｘ線量検出部５０によるＸ線量の検出や固体検出器２０への消去光の照射に支障をきたさないように構成されている。
【００３３】
消去光光源部４０は、固体検出器２０の読取光入射面と対向する位置に配されており、プリント基板４１上に複数のＬＥＤ４２が実装されたものである。
【００３４】
Ｘ線量検出部５０は、固体検出器２０の読取光入射面と対向する位置に配されており、プリント基板５１上にＸ線量検出器としてのシリコンフォトダイオード５２が複数実装されたものである。シリコンフォトダイオード５２は、図３に示すように、乳房９を透過したＸ線量を、複数の位置で互いに独立して検出可能な位置に配されており、これにより乳房９の形状に対応して最も関心のある領域におけるＸ線量を制御することができる。各シリコンフォトダイオード５２の前面（Ｘ線入射面側）にはシリコンフォトダイオード５２に消去光が入射するのを防止するための消去光入射防止手段としての消去光カットフィルタ５３が設けられており、さらにその前面にはシリコンフォトダイオード５２に散乱線が入射するのを防止するための散乱線除去手段としてのグリッド５４が設けられている。
【００３５】
また、プリント基板５１は積分回路５５に接続されており、積分回路５５は比較回路５６に接続されている。積分回路５５ではシリコンフォトダイオード５２から出力された電流を電圧に変換して積分し、比較回路５６では積分回路５５により積分された電圧が所定値を超えるとその旨を示す情報を出力することにより、固体検出器２０に照射されたＸ線量が所定値を超えたことを判断することができる。最適なＸ線量は、撮影する乳房の厚さ、Ｘ線源２の管電圧、Ｘ線源２のターゲット材質および線源フィルタ等により変わるため、比較回路５６に入力する基準値は上記撮影条件に応じて好適な値に変更することが好ましい。
【００３６】
図２および図３に示すように、消去光光源部４０のプリント基板４１とＸ線量検出部５０のプリント基板５１とは連結されて、消去光光源部４０とＸ線量検出部５０とが一体的に構成されており、また上面から見た際に消去光光源部４０のプリント基板４１とシリコンフォトダイオード５２とが重なる領域ではプリント基板４１に穴が開けられており、シリコンフォトダイオード５２に対して固体検出器２０を透過したＸ線が直接入射するように構成されている。
【００３７】
さらに、消去光光源部４０の固体検出器２０の読取光入射面と対向する面側の最前部、すなわちＬＥＤ４２の最前部と、Ｘ線量検出部５０の固体検出器２０の読取光入射面と対向する面側の最前部、すなわちシリコンフォトダイオード５２に取り付けられたグリッド５４の最前部とが略同一面上に位置するように構成されており、これによりシリコンフォトダイオード５２に入射するＸ線における、消去光光源部４０によるケラレや、グリッド５４と隣接するＬＥＤ４２から照射され固体検出器２０に入射する消去光における、放射線量検出部５０によるケラレを殆ど無くすことができる。
【００３８】
なお、シリコンフォトダイオード５２に入射するＸ線における、消去光光源部４０によるケラレは１０％以下となるように構成することが好ましく、グリッド５４と隣接するＬＥＤ４２から照射され固体検出器２０に入射する消去光における、放射線量検出部５０によるケラレは５０％以下となるように構成することが好ましい。
【００３９】
次いで、このように構成される乳房用画像撮像装置１の動作について説明する。図４は撮影から読取までの間における各動作のタイミングチャートである。
【００４０】
撮影時には、撮影者の手動による指示に基づいて、制御手段６０は、圧迫板移動手段８を駆動して圧迫板７を乳房９を押圧する位置へ移動させ、撮影台４上に乳房９を固定させる。
【００４１】
次に、撮影者により不図示の二段式の曝射スイッチの一段目が押下されると、制御手段６０は、ムービンググリッド１０を駆動するとともに、積分回路５５のリセットを解除する。
【００４２】
その後、撮影者により曝射スイッチの二段目が押下されると、制御手段６０は、Ｘ線源２よりＸ線を乳房９に照射させる。乳房９を透過したＸ線、すなわち乳房９のＸ線画像情報を担持するＸ線を撮像デバイスである固体検出器２０に照射すると、Ｘ線量検出部５０の各シリコンフォトダイオード５２においてＸ線が検出され、検出されたＸ線量に対応した電圧が積分回路５５により積分される。また、固体検出器２０内においては、Ｘ線画像情報を担持する潜像電荷が蓄積される。この蓄積された潜像電荷の量は被写体を透過したＸ線量に略比例するので、この潜像電荷が静電潜像を担持することとなる。
【００４３】
積分回路５５の出力、すなわち固体検出器２０に照射されたＸ線量が所定値を超えると、比較回路５６からその旨を示す情報が制御手段６０に送信され、制御手段６０は、この情報を受信するとＸ線源２を停止させる。
【００４４】
撮影者による曝射スイッチの一段目の押下が解除されると、制御手段６０は、ムービンググリッド３０を停止させるとともに、積分回路５５をリセットし、その後、読取光光源部３０を駆動して固体検出器２０に対して読取光で走査を行い、固体検出器２０から出力された信号を不図示の信号検出手段により検出することによって、固体検出器２０から潜像電荷の読取りを行う。
【００４５】
潜像電荷の読取終了後、制御手段６０は、消去光光源部４０を駆動して固体検出器２０に蓄積された残像を消去するとともに、圧迫板移動手段８を駆動して圧迫板７を乳房９の押圧を解除する位置へ移動させ処理を終了する。
【００４６】
なお、潜像電荷の読取終了後に圧迫板７を移動させるのは、固体検出器２０から潜像電荷を読み取る際に、固体検出器２０に振動が加わると、潜像電荷にノイズが重畳されてしまうためであり、上記のような態様とすることにより、この問題を解消することができる。
【００４７】
以上、本発明の好ましい実施の形態について説明したが、本発明は上記に限定されるものではなく、Ｘ線量検出部については、Ｘ線を蛍光に変換するシンチレーターを備えるとともに、Ｘ線量検出器を蛍光を検出するものとし、間接的にＸ線量を検出するものとしてもよい。
【００４８】
また、乳房用画像撮像装置だけでなく、一般用画像撮像装置にも用いることができる。
【図面の簡単な説明】
【００４９】
【図１】本発明によるＸ線撮影装置を備えた乳房用画像撮像装置の一例を示す概略図
【図２】上記乳房用画像撮像装置の撮影台内部の概略図
【図３】上記乳房用画像撮像装置の消去光光源部およびＸ線量検出部の上面図
【図４】上記乳房用画像撮像装置の撮影から読取までの間における各動作のタイミングチャート
【符号の説明】
【００５０】
１    乳房用画像撮像装置
２    Ｘ線源
３    Ｘ線源収納部
４    撮影台
５    アーム
６    基台
７    圧迫板
８    圧迫板移動手段
９    乳房
１０    ムービンググリッド
２０    固体検出器
３０    読取光光源部
４０    消去光光源部
５０    Ｘ線量検出部
６０    制御手段
【図１】
2007296043.tif 000003
【図２】
2007296043.tif 000004
【図３】
2007296043.tif 000005
【図４】
2007296043.tif 000006